(57)【特許請求の範囲】
【請求項１】
複数の端末から構成され、そのうち１つの端末が電話回線に接続される親機とされ、それ以外の端末が親機に無線通信で接続が可能な子機とされてなり、親機から子機、子機から親機、又は子機から子機に内線呼び出しを行うコードレス電話機において、
複数の端末のうち、１つの特定端末に、他の端末から送信される使用者名を受信する受信手段と、受信した使用者名を、使用者名送信を行った端末の端末番号と関連付けて記憶する記憶手段と、他の端末から送信される使用者名送信要求に応じて、記憶手段に記憶している端末番号と使用者名を送信する送信手段が設けられ、
他の各端末に、自端末の使用者名を登録する使用者名登録手段と、登録された使用者名を特定端末に送信する送信手段と、特定端末から送信される端末番号と使用者名を受信する受信手段と、受信した使用者名を報知する報知手段が設けられ、
前記他の端末により行われる使用者名送信要求は、内線呼び出しの呼び出し先選択に先立って行われるように構成されていることを特徴とするコードレス電話機。
【請求項２】
複数の端末から構成され、そのうち１つの端末が電話回線に接続される親機とされ、それ以外の端末が親機に無線通信で接続が可能な子機とされてなり、親機から子機、子機から親機、又は子機から子機に内線呼び出しを行うコードレス電話機において、
複数の端末のうち、１つの特定端末に、他の端末から送信される端末番号及び使用者名を受信する受信手段と、その受信した端末番号と使用者名とを関連付けて記憶する記憶手段と、他の端末から送信される使用者名送信要求に応じて、記憶手段に記憶している端末番号と使用者名を送信する送信手段が設けられ、
他の各端末に、端末番号及び使用者名を登録する使用者名登録手段と、登録された端末番号と使用者名とを関連付けて特定端末に送信する送信手段と、特定端末から送信される端末番号と使用者名を受信する受信手段と、受信した使用者名を報知する報知手段が設けられ、
前記他の端末により行われる使用者名送信要求は、内線呼び出しの呼び出し先選択に先立って行われるように構成されていることを特徴とするコードレス電話機。
【請求項３】
複数の端末から構成され、そのうち１つの端末が電話回線に接続される親機とされ、それ以外の端末が親機に無線通信で接続が可能な子機とされてなり、親機から子機、子機から親機、又は子機から子機に内線呼び出しを行うコードレス電話機において、
複数の端末のうち、１つの特定端末に、他の端末の使用者名を登録する使用者名登録手段と、登録された端末の端末番号と使用者名とを関連付けて記憶する記憶手段と、他の端末からの使用者名送信要求に応じて、記憶手段に記憶している端末番号と使用者名を送信する送信手段とが設けられ、
他の各端末に、特定端末の送信手段から送信される端末番号と使用者名を受信する受信手段と、受信した使用者名を報知する報知手段が設けられ、
前記他の端末により行われる使用者名送信要求は、内線呼び出しの呼び出し先選択に先立って行われるように構成されていることを特徴とするコードレス電話機。
【請求項４】
前記特定端末は、親機であることを特徴とする請求項１、２又は３に記載のコードレス電話機。
【請求項５】
前記特定端末以外の他の各端末に設けられている報知手段は、受信した使用者名を報知する際に自端末の使用者名を報知しないことを特徴とする請求項１、２、３又は４に記載のコードレス電話機。
【請求項６】
前記特定端末以外の他の各端末に設けられている報知手段は、受信した端末番号又はその端末の識別番号と使用者名を合わせて表示することを特徴とする請求項１、２、３、４又は５に記載のコードレス電話機。
【発明の詳細な説明】
【０００１】
【産業上の利用分野】
本発明は、電話回線に接続された親機と、この親機と無線通信によって接続される子機とからなるコードレス電話機に関する。
【０００２】
【従来の技術】
従来、使用者名表示を備えたコードレス電話機としては、例えば実開平２−１１１９５４号公報に記載されたものが知られている。実開平２−１１１９５４号公報には、各子機の識別コードと使用者の氏名を記憶し、識別コード若しくは識別コードに対応する使用者の氏名のいずれか一方の表示が入力部から指示された時には、それに対応する使用者の氏名と識別コードの双方を表示手段に表示するコードレス電話機が開示されている。
【０００３】
また、最近のコードレス電話機においては、自端末に登録した使用者名を自端末に表示するものもある。
【０００４】
【発明が解決しようとする課題】
しかしながら、実開平２−１１１９５４号公報に記載されたコードレス電話機においては、単に識別コードおよび使用者名を登録・表示するか、或いは、識別コードまたは使用者名のいずれか一方が指示されたときに初めて他方とともに表示するものである。
【０００５】
また、自端末に登録した使用者名を自端末に表示するコードレス電話機では、、単に使用者名を表示する使用者表示の域を出ていない。
【０００６】
一方、内線呼出時に内線呼出の相手候補を表示し、それらが呼出端末を選択する場合においては、呼出可能な端末の識別番号（端末番号）を一覧表示する方法も考えられるが、「子機１」、「子機２」のように数字を羅列するだけでは、相手を特定しにくい。また、使用者名を表示するためには各端末から各端末の端末番号と使用者名を登録する必要があった。
【０００７】
本発明は上記のような事情に鑑み創作されたものであって、いずれかの端末から登録した各端末の使用者名が、端末番号と関連付けて記憶され、登録した端末以外の端末から内線呼出のための発呼を行う際に、内線呼出候補として使用者名と端末番号とが合わせて一覧表示される、利便性に優れたコードレス電話機の提供を目的とする。
【０００８】
【課題を解決するための手段】
上記の目的を達成するため、本発明のコードレス電話機は、複数の端末から構成され、そのうち１つの端末が電話回線に接続される親機とされ、それ以外の端末が親機に無線通信で接続が可能な子機とされてなり、親機から子機、子機から親機、又は子機から子機に内線呼び出しを行うコードレス電話機において、複数の端末のうち、１つの特定端末に、他の端末から送信される使用者名を受信する受信手段と、受信した使用者名を、使用者名送信を行った端末の端末番号と関連付けて記憶する記憶手段と、他の端末から送信される使用者名送信要求に応じて、記憶手段に記憶している端末番号と使用者名を送信する送信手段が設けられ、他の各端末に、自端末の使用者名を登録する使用者名登録手段と、登録された使用者名を特定端末に送信する送信手段と、特定端末から送信される端末番号と使用者名を受信する受信手段と、受信した使用者名を報知する報知手段が設けられ、前記他の端末により行われる使用者名送信要求は、内線呼び出しの呼び出し先選択に先立って行われるように構成されていることを特徴とする。
【０００９】
この発明によれば、他の各端末の使用者名登録手段により登録された使用者名が１つの特定端末に送信されたとき、１つの特定端末の記憶手段によりこの使用者名と端末番号とが関連付けて記憶され、他の端末からの使用者名送信要求に応じてこの使用者名と端末番号とが送信され、他の端末から内線呼出のための発呼がされた際、内線呼出候補として使用者名と端末番号とが合わせて表示される。したがって、他の各端末において登録した使用者名を特定端末において集中管理することができる。また、前記他の端末により行われる使用者名送信要求は、内線呼び出しの呼び出し先選択に先立って行われるので、内線発呼相手を選択時に登録した各端末の使用者名から発呼先の相手端末を選択することができる。
【００１０】
また、本発明は、複数の端末から構成され、そのうち１つの端末が電話回線に接続される親機とされ、それ以外の端末が親機に無線通信で接続が可能な子機とされてなり、親機から子機、子機から親機、又は子機から子機に内線呼び出しを行うコードレス電話機において、複数の端末のうち、１つの特定端末に、他の端末から送信される端末番号及び使用者名を受信する受信手段と、その受信した端末番号と使用者名とを関連付けて記憶する記憶手段と、他の端末から送信される使用者名送信要求に応じて、記憶手段に記憶している端末番号と使用者名を送信する送信手段が設けられ、他の各端末に、端末番号及び使用者名を登録する使用者名登録手段と、登録された端末番号と使用者名とを関連付けて特定端末に送信する送信手段と、特定端末から送信される端末番号と使用者名を受信する受信手段と、受信した使用者名を報知する報知手段が設けられ、前記他の端末により行われる使用者名送信要求は、内線呼び出しの呼び出し先選択に先立って行われるように構成されていることを特徴とする。
【００１１】
この発明によれば、他の各端末の使用者名登録手段により登録された端末番号および使用者名が１つの特定端末に送信されたとき、１つの特定端末の記憶手段によりこの使用者名と端末番号とが関連付けて記憶され、他の端末からの使用者名送信要求に応じてこの使用者名と端末番号とが送信され、他の端末から内線呼出のための発呼がされた際、内線呼出候補として使用者名と端末番号とが合わせて表示される。したがって、自端末以外の端末の使用者名も登録することができ、さらに複数の端末番号を登録することもできる。また、前記他の端末により行われる使用者名送信要求は、内線呼び出しの呼び出し先選択に先立って行われるので、内線発呼相手を選択時に登録した各端末の使用者名から発呼先の相手端末を選択することができる。
【００１２】
また、本発明は、複数の端末から構成され、そのうち１つの端末が電話回線に接続される親機とされ、それ以外の端末が親機に無線通信で接続が可能な子機とされてなり、親機から子機、子機から親機、又は子機から子機に内線呼び出しを行うコードレス電話機において、複数の端末のうち、１つの特定端末に、他の端末の使用者名を登録する使用者名登録手段と、登録された端末の端末番号と使用者名とを関連付けて記憶する記憶手段と、他の端末からの使用者名送信要求に応じて、記憶手段に記憶している端末番号と使用者名を送信する送信手段とが設けられ、他の各端末に、特定端末の送信手段から送信される端末番号と使用者名を受信する受信手段と、受信した使用者名を報知する報知手段が設けられ、前記他の端末により行われる使用者名送信要求は、内線呼び出しの呼び出し先選択に先立って行われるように構成されていることを特徴とする。
【００１３】
この発明によれば、１つの特定端末の使用者名登録手段により登録された使用者名が、記憶手段により端末番号と関連付けて記憶され、他の端末からの使用者名送信要求に応じてこの使用者名と端末番号とが送信され、その他の端末から内線呼出のための発呼がされた際、内線呼出候補として使用者名と端末番号とが合わせて表示される。したがって、特定端末により他の各端末の使用者名を登録でき、さらに登録した情報を他の各端末において使用することができる。また、前記他の端末により行われる使用者名送信要求は、内線呼び出しの呼び出し先選択に先立って行われるので、内線発呼相手を選択時に登録した各端末の使用者名から発呼先の相手端末を選択することができる。
【００１４】
また、本発明は、前記特定端末は、親機であることを特徴とする。
【００１５】
この発明によれば、子機間通話時においても親機を介して通信しているコードレス電話機の通信の要である親機で使用者名を管理できる。なお、登録された端末番号と使用者名を記憶する記憶手段等を設ける特定端末は、いずれか１つの子機であってもよい。
【００１６】
また、本発明は、前記特定端末以外の他の各端末に設けられている報知手段は、受信した使用者名を報知する際に自端末の使用者名を報知しないことを特徴とする。
【００１７】
この発明によれば、内線呼出時に不要な自端末の使用者名を報知しないことができる。
【００１８】
また、本発明は、前記特定端末以外の他の各端末に設けられている報知手段は、受信した端末番号又はその端末の識別番号と使用者名を合わせて表示することを特徴とする。
【００１９】
この発明によれば、登録していない人でも、端末番号によって相手を選択することができる。
【００２２】
【実施の形態】
以下、本発明の一実施の形態について図を参照して説明する。
【００２３】
図１は、本発明のコードレス電話機の構成を示すブロック図である。図２は、本発明のコードレス電話機の使用者名登録処理の内容を示すフローチャートである。図３は、本発明のコードレス電話機の使用者名登録データ送信のシーケンスである。図４は、本発明のコードレス電話機の内線呼出時の使用者名報知処理のフローチャートである。図５は、本発明のコードレス電話機の内線呼出時の使用者名受信のシーケンスである。図６は、本発明のコードレス電話機の送信データのフォーマットである。図７は、本発明のコードレス電話機の内線呼出時の使用者名報知の表示例である。図８は、本発明のコードレス電話機の内線呼出時の使用者名報知の他の表示例である。
【００２４】
本実施の形態のコードレス電話機は、図１に示すように、電話回線に接続される親機１と、親機１に無線通信で接続可能な複数の子機２を備え、親機１から子機２、子機２から親機１、又は子機２から子機２に内線呼び出しを行うように構成されている。なお、図１には、１台の子機２のみを示している。
【００２５】
親機１は、電話回線を介して図示しない相手側電話機と送受信を行うことができるものである。子機２は、親機１と無線通信により通信を行うことができるものである。
【００２６】
親機１は、図１（ａ）に示すように、ハンドセット１０、ベースバンド部１１、無線部１２、操作入力部１３、表示部１４、記憶部１５、主制御部１６などを主体として構成されている。
【００２７】
ハンドセット１０は、音声入力を行うマイクおよび音声信号を出力するスピーカからなっている。ベースバンド部１１は、ハンドセット１０及び無線部１２からの入力を所定のレベルに増幅し、ノイズ軽減等の信号処理を行う。無線部１２は、ベースバンド部１１からの信号を変調・増幅し、図示しないアンテナから送信する一方、アンテナで受信した電波を選択的に通過させ、ダウンコンバートし復調する。操作入力部１３は、ユーザが電話番号の入力や種々の機能の指示を行うためにボタンおよびスイッチ等で構成されている。表示部１４は、ＬＥＤ，ＬＣＤディスプレイ、各ドライバー等で構成されており、電話機の動作状態等を表示する。記憶部１５は、少なくとも内線呼出に関する情報を記憶する。主制御部１６は、各部に種々の指示を出したり、ユーザーインターフェースの処理等を行う。
【００２８】
子機２は、図１（ｂ）に示すように、音声入力部２０、音声出力部２１、ベースバンド部２２、無線部２３、表示部２４、操作入力部２５、記憶部２６、主制御部２７、ブザー２８などを主体として構成されている。
【００２９】
音声入力部２０は、音声入力を行うマイク、音声信号を増幅するマイクアンプからなっている。音声出力部２１は、スピーカアンプおよびスピーカからなっている。ベースバンド部２２は、音声入力部２０或いは無線部２３からの入力を所定のレベルに増幅し、ノイズ軽減等の信号処理を行う。無線部２３は、ベースバンド部２２からの信号を変調・増幅し、図示しないアンテナから送信する一方、アンテナで受信した電波を選択的に通過させ、ダウンコンバートし復調する。表示部２４は、ＬＥＤ，ＬＣＤディスプレイ、各ドライバー等で構成されており、電話機の動作状態等を表示する。操作入力部２５は、ボタンおよびスイッチ等で構成されており、ユーザが電話番号の入力や種々の機能の指示等を行うことができる。記憶部２６は、少なくとも内線呼出に関する情報を記憶する。主制御部２７は、各部に種々の指示を出したり、ユーザーインターフェースの処理等を行うものである。ブザー２８は、キータッチ音その他の確認音を出力する。
【００３０】
なお、そのほかの子機２については、子機２と同様に構成されているため、説明および図示を省略する。
【００３１】
次に、上記構成のコードレス電話機の子機２から使用者名の登録を行う使用者名登録手段、端末番号と受信した使用者名とを関連付けて記憶する記憶処理について、図２に示すフローチャートを参照しながら説明する。
【００３２】
ステップＦ１：ユーザが子機２の操作入力部２５より所定の操作により使用者名の登録を開始すると操作入力部２５からの信号を受信した主制御部２７は使用者名登録のモードのタイムアウトのカウンターをリセットし、使用者名登録モードに入る。
【００３３】
ステップＦ２：主制御部２７は操作入力部２５から送られてくる子機番号、使用者名を受け取り、それを記憶部２６に記憶する。
【００３４】
ステップＦ３：使用者名入力処理の操作が完了するとステップＦ５に移行し、完了していない場合はステップＦ４に移行する。
【００３５】
ステップＦ４：使用者名登録モードのカウンターが所定時間に達しているか否かの判断を行い、所定時間に達していない場合はステップＦ２に移行し、達した場合は処理を終了する。
【００３６】
ステップＦ５：主制御部２７はユーザによる使用者名の登録が完了すると使用者名を親機１に登録すべく、無線部２３を介して親機１と無線接続を開始し、主制御部２７が記憶部２６に記憶している子機番号、使用者名を図８に示すデータフォーマットに基づいて、後述する処理にて送信する。
【００３７】
ステップＦ６：子機２の主制御部２７は、上記シーケンス（８）の登録応答を受け取るとブザー２８を駆動し、登録完了報知を行い当フローチャートを終了する。
【００３８】
ステップＦ５の送信処理を図３のシーケンスを参照しながら説明する。
（１）子機２は、制御チャンネルにて親機１に無線接続要求を出す。主制御部２７が無線部２３に対して図６のフォーマットを８ビットずつ順次出力する。
（２）親機１が無線接続要求を受信すると、親機１は通話チャンネルの空チャンネルをサーチし、探し当てた空チャンネルデータを応答コマンドとともに子機２に送信する。即ち、親機１は、子機２に通話チャンネルを通知する。
（３）親機１は、チャンネル切替えコマンド送出後、一定時間（子機２と同時に切替える為）待って通話チャンネルに移行する。
【００３９】
子機２は、（２）において親機１から送信された空チャンネルデータと応答コマンドを受信後、通話チャンネル移行処理を行う。
（４）親機１は、通話チャンネル移行先を子機２に通知するとともに、本来の要求を送信するようＮＯＰ（Ｎｏｎ  Ｏｐｅｒａｔｉｏｎ）を送信する（チャンネル切替完了）。
（５）ＮＯＰを受けた子機２は、使用者名データ送信開始コマンドを親機１に送信し応答を待つ。
（６）親機１は、この使用者名データ送信開始コマンドに対する応答（許可応答）を子機２に返す。
（７）子機２は、記憶部２６に記憶した内容を読み出し、図６に示すデータフォーマットに従い、端末番号、使用者名のデータを親機１に送信する。
【００４０】
なお、図６において、信号フォーマットは、クロック調整のためのスタートビットＡ、データの開始を指示するフレームビットＢ、自端末のＩＤであるＣ、送るべきデータＤで構成されている。
（８）親機１は、端末番号、使用者名のデータを受信し、記憶部１５に書き込み、書き込み完了後登録完了コマンドを子機２に送信し無線を切断して終了する。
【００４１】
なお、図２に示すフローチャートで登録できる使用者名は、自端末に限定されるものでなく、他の端末の使用者名を登録することも可能である。
【００４２】
また、親機１より登録する場合は、フローチャートのステップＦ５において、親機１に送信する必要はなく記憶した内容を記憶部１５の所定の格納エリアに記憶するだけでよい。
【００４３】
また、親機１への子機２の番号、使用者名の送信において、使用者名登録操作開始と同時に親機１と無線接続を行い、子機２の番号、使用者名が入力される度に子機２の番号、使用者名データを送信するようにしてもよい。
【００４４】
次に、上記コードレス電話機における内線呼出し動作を図４に示すフローチャートおよび図５に示すシーケンスを参照しながら説明する。
【００４５】
ステップＦ１１：ユーザがいずれかの子機２の操作入力部２５より図示しない内線呼出キーを押下すると操作入力部２５は内線キーが押下されたことを主制御部２７に通知し、主制御部２７は親機１より使用者名を入手すべく図５に示すシーケンスを実施し、親機１と無線接続を行い、使用者名データを受信する。なお、図５（１１）乃至（１４）は、上記した図３の使用者名登録のシーケンスの（１）乃至（４）と同じであるため、説明を省略する。
（１５）ＮＯＰを受けた子機２は、使用者名要求コマンドを親機１に送信し、応答を待つ。
（１６）親機１は、この使用者名要求コマンド（１５）に対する応答を子機２に返す。
（１７）親機１は、記録部１５から全端末の端末番号（親機１と子機２の番号）とそれぞれの端末番号に関連付けて記録している使用者名を読み出し、図６に示すデータフォーマットに従い、端末番号、使用者名のデータを子機２に送信する。
【００４６】
なお、図６に示すデータフォーマットは、既に説明しているので説明を省略する。
（１８）子機２は、端末番号、使用者名のデータを受信し、記憶部２６に書き込み、書き込み完了後親機１に受信完了コマンドを送信する。
（１９）親機１は、受信完了コマンドを受信し、完了コマンドを子機２に送信し無線を切断して終了し、子機２は完了コマンドを受信した後に無線を切断する。
【００４７】
ステップＦ１２：主制御部２７は、ステップＦ１１（シーケンスの（１８））で記憶したデータを記憶部２６から呼び出す。
【００４８】
ステップＦ１３：主制御部２７は、ステップＦ１２で呼び出したデータを表示部２４に表示（使用者一覧表示）を行うと同時に内線呼出先選択のタイムアウトのカウンターをリセットする。
【００４９】
図７に、端末の識別番号が「１」である子機２から内線呼出を実施したときの使用者一覧表示例を示す。図７において、「０」、「２」、「３」、「４」は各端末の識別番号であり、登録しなかった人がはじめて表示を見た場合でも戸惑わないように表示してあり、識別番号に替えて端末番号を表示してもよい。さらに、使用者名欄の「親機」、「子機４」といった端末番号は使用者名が登録されていない場合の使用者名のデフォルト表示である。また、識別番号「３」の接続不可は子機２が圏外にある、或いは電池が切れているといったケースで接続ができない場合の表示であり、この表示の為に、使用者名送信要求の応答に先立ち親機１が各端末の状況を無線通信にて確認することにより実現できる。
【００５０】
ステップＦ１４：ユーザはこの表示を確認し、図７の使用者名の左の数字をテンキーより入力するか或いはカーソルキーにて所望の使用者名にカーソルを合わせ確認操作を行うことになるが、主制御部２７はユーザによる内線接続先選択完了であればステップＦ１６に移行し、内線接続先選択が完了していない場合はステップＦ１５に移行する。
【００５１】
ステップＦ１５：主制御部２７はカウンターを確認し、カウンター値が予め定めた所定時間に達しているか否かの判定を行い、達している場合は処理を終了し、達していない場合はステップＦ１４に移行する。
【００５２】
ステップＦ１６：主制御部２７は、ステップＦ１４での内線呼出先の確定を受けて所定のプロトコルによる内線呼出を実施し処理を終了する。この内線呼出については、通常行われているものであり、説明を省略する。
【００５３】
なお、前記内線呼出は、端末の識別番号が１である子機２から内線呼出について説明したが、親機１からの内線呼出の場合は、使用者データは親機１が記録しているので無線通信により受信する必要はなく、記憶部１５の所定の格納エリアに記憶してある使用者名情報を読み出して表示すればよく、その表示例を図８に示している。
【００５４】
なお、いずれの端末から内線呼出の相手の使用者名の表示を行う場合にも自端末の使用者名を表示する必要はないので、自端末の使用者名は表示していない。
【００５５】
【発明の効果】
以上説明したように、本発明のコードレス電話機によれば、１つの特定端末（例えば親機）以外の他の各端末（例えば子機）に、使用者名を登録する使用者名登録手段を設け、これら他の端末にて登録された使用者名を、特定端末の記憶手段に端末番号と関連付けて記憶し、その記憶された端末番号と使用者名を、他の端末からの要求に応じて送信し、要求端末に報知するように構成しているので、他の各端末から登録した使用者名を、特定端末において集中して管理することができる。しかも、登録操作を行った端末以外の端末から内線呼出のための発呼を行う際に、内線呼出し候補として使用者名と端末番号とを合わせて報知（表示）することができる。
【００５６】
本発明のコードレス電話機において、他の各端末に、端末番号及び使用者名を登録する使用者名登録手段を設けた場合、自端末以外の端末の使用者名も登録することが可能となり、操作性が格段に向上する。また、特定端末に、他の端末の使用者名を登録する使用者名登録手段を設けた場合、他の各端末の使用者名を特定端末から登録することが可能になる。
【図面の簡単な説明】
【図１】本発明のコードレス電話機の構成を示すブロック図である。
【図２】本発明のコードレス電話機の使用者名登録のフローチャートである。
【図３】本発明のコードレス電話機の使用者名登録データ送信のシーケンスである。
【図４】本発明のコードレス電話機の内線呼出時の使用者名報知のフローチャートである。
【図５】本発明のコードレス電話機の内線呼出時の使用者名受信のシーケンスである。
【図６】本発明のコードレス電話機の送信データのフォーマットである。
【図７】本発明のコードレス電話機の内線呼出時の使用者名報知の表示例である。
【図８】本発明のコードレス電話機の内線呼出時の使用者名報知の他の表示例である。
【符号の説明】
１      親機
２      子機
【図１】
0003679314.tif 000002
【図２】
0003679314.tif 000003
【図３】
0003679314.tif 000004
【図４】
0003679314.tif 000005
【図５】
0003679314.tif 000006
【図６】
0003679314.tif 000007
【図７】
0003679314.tif 000008
【図８】
0003679314.tif 000009